(57)【要約】【課題】ディスクにＳＴＷを実行したＳＴＷ装置を正確に特定すること。【解決手段】ディスク装置１００は、リード素子とライト素子とが別々に設置された（リード素子に対して、ディスクの外周方向に所定間隔を隔ててライト素子を設置）ヘッド１３０、インナーストッパ１６０およびアウターストッパ１７０を利用してディスク１１０にデータの書き込みまたは読み込みを行う際に、ヘッド１３０の移動範囲を制限し、リード素子のみ到達しライト素子が到達しない保護領域またはディスク１１０上に存在させる。【選択図】        図１
2006221771.tif 000002
【特許請求の範囲】
【請求項１】
記憶媒体に対するデータの書き込みまたは読み込みを行う記憶媒体書込読込装置であって、
データを書き込む書込部とデータを読み込む読込部とを別々に設置したヘッドを利用してデータの書き込みまたは読み込みを行う書込読込手段と、
前記読込部のみが到達し前記書込部が到達しない領域である保護領域が前記記憶媒体上に存在するように前記ヘッドの移動範囲を制限する制限手段と、
を備えたことを特徴とする記憶媒体書込読込装置。
【請求項２】
前記記憶媒体はディスクであり、前記書込部は前記読込部に対してディスクの内周側に所定間隔を隔てて設置されることを特徴とする請求項１に記載の記憶媒体書込読込装置。
【請求項３】
前記記憶媒体はディスクであり、前記書込部は前記読込部に対してディスクの外周側に所定間隔を隔てて設置されることを特徴とする請求項１に記載の記憶媒体書込読込装置。
【請求項４】
前記保護領域は、ヘッドの位置決め情報またはサーボ情報の記録をディスクに対して行った装置を識別するための情報を記憶していることを特徴とする請求項１、２または３に記載の記憶媒体書込読込装置。
【請求項５】
前記保護領域は、前記記憶媒体にデータの書き込みまたは読み込みを許可するか否かを判定するための情報を記憶していることを特徴とする請求項１〜４のいずれか一つに記載の記憶媒体書込読込装置。
【発明の詳細な説明】
【技術分野】
【０００１】
この発明は、記憶媒体に対するデータの書き込みまたは読み込みを行う記憶媒体書込読込装置に関し、特にディスクにＳＴＷを実行したＳＴＷ装置を正確に特定可能な記憶媒体書込読込装置に関するものである。
【背景技術】
【０００２】
従来、磁気ディスク装置は、出荷前にディスクに対してＳＴＷ（Servo Track Writer）を実行する必要がある。ここで、ＳＴＷとは、非特許文献１に記載されているように、ディスクにヘッドの位置決め情報やサーボ情報など（以下、ＳＴＷ情報と表記する）を記録することであり、ＳＴＷを実行する専用の装置（以下、ＳＴＷ装置と表記する）によって行われている。
【０００３】
図６は、ＳＴＷを説明するための説明図であり、ＳＴＷ装置は、磁気ディスクにヘッドを用いてＳＴＷ情報を記録する手法と、ＳＴＷ情報が予め記録されたマスター媒体と磁石とを利用して磁気ディスクにＳＴＷ情報を転写する手法などが存在する。
【０００４】
このように、磁気ディスク装置は、ＳＴＷ装置を利用することによって、磁気ディスク装置自身でＳＴＷを実行するよりも高精度にディスクに対するＳＴＷを実行することが可能となり、磁気ディスク装置に発生する不具合を未然に防ぐことができる。
【０００５】
また、出荷後の磁気ディスク装置には、バーコードが添付され、このバーコードによってディスクに対するＳＴＷを実行したＳＴＷ装置を識別することが可能となっているため、万一、磁気ディスク装置に不具合が発生した場合には、貼付されたバーコードを利用して該当する不良ＳＴＷ装置を特定することができる。
【０００６】
【非特許文献１】岡村博司編著、「ハードディスク装置の構造と応用−記録／再生の原理とメカニズム＆インターフェース−」、ＣＱ出版、ＩＳＢＮ４−７８９８−３６２２−３、Ｐ９０〜９３
【発明の開示】
【発明が解決しようとする課題】
【０００７】
しかしながら、かかる従来の技術では、必ずしも正確に不良ＳＴＷ装置を特定することができないという問題があった。
【０００８】
なぜなら、磁気ディスク装置に貼付されたバーコードは外部からの影響を受けやすく、剥離・汚損などによってバーコードに記録された情報が判別不可能となるからである。また、単に磁気ディスク装置に貼付されたバーコードでは、悪意のある第三者によってバーコードの情報を容易に改竄可能であるため、セキュリティー上の問題も発生する。
【０００９】
なお、ＳＴＷ装置の識別情報をディスク上に記録することも考えられるが、磁気ディスク装置に対するフォーマット処理などを実行した際に誤って識別情報が消去されてしまう恐れがあるため、適切な解決策にはならない。
【００１０】
この発明は、上述した従来技術による問題点を解消するためになされたものであり、ディスクにＳＴＷを実行したＳＴＷ装置を正確に特定可能な記憶媒体書込読込装置を提供することを目的とする。
【課題を解決するための手段】
【００１１】
上述した課題を解決し、目的を達成するため、請求項１の発明に係る記憶媒体書込読込装置は、記憶媒体に対するデータの書き込みまたは読み込みを行う記憶媒体書込読込装置であって、データを書き込む書込部とデータを読み込む読込部とを別々に設置したヘッドを利用してデータの書き込みまたは読み込みを行う書込読込手段と、前記読込部のみが到達し前記書込部が到達しない領域である保護領域が前記記憶媒体上に存在するように前記ヘッドの移動範囲を制限する制限手段と、を備えたことを特徴とする。
【００１２】
この請求項１の発明によれば、記憶媒体書込読込装置は、データを書き込む書込部とデータを読み込む読込部とを別々に設置したヘッドを利用してデータの書き込みまたは読み込みを行う場合に、読込部のみが到達し書込部が到達しない領域である保護領域が記憶媒体上に存在するようにヘッドの移動範囲を制限する。
【００１３】
また、請求項２の発明に係る記憶媒体書込読込装置は、請求項１の発明において、前記記憶媒体はディスクであり、前記書込部は前記読込部に対してディスクの内周側に所定間隔を隔てて設置されることを特徴とする。
【００１４】
この請求項２の発明によれば、記憶媒体書込読込装置は、書込部が読込部に対してディスクの内周側に所定間隔を隔てて設置されたヘッドを利用してデータの書き込みまたは読み込みを行う場合に、読込部のみが到達し書込部が到達しない領域である保護領域がディスク上に存在するようにヘッドの移動範囲を制限する。
【００１５】
また、請求項３の発明に係る記憶媒体書込読込装置は、請求項１の発明において、前記記憶媒体はディスクであり、前記書込部は前記読込部に対してディスクの外周側に所定間隔を隔てて設置されることを特徴とする。
【００１６】
この請求項３の発明によれば、記憶媒体書込読込装置は、書込部が読込部に対してディスクの外周側に所定間隔を隔てて設置されたヘッドを利用してデータの書き込みまたは読み込みを行う場合に、読込部のみが到達し書込部が到達しない領域である保護領域がディスク上に存在するようにヘッドの移動範囲を制限する。
【００１７】
また、請求項４の発明に係る記憶媒体書込読込装置は、請求項１、２または３の発明において、前記保護領域は、ヘッドの位置決め情報またはサーボ情報の記録をディスクに対して行った装置を識別するための情報を記憶していることを特徴とする。
【００１８】
この請求項４の発明によれば、記憶媒体書込読込装置は、保護領域に、ヘッドの位置決め情報またはサーバ情報の記録をディスクに対して行った装置を識別するための情報が記憶される。
【００１９】
また、請求項５の発明に係る記憶媒体書込読込装置は、請求項１〜４のいずれか一つの発明において、前記記憶媒体にデータの書き込みまたは読み込みを許可するか否かを判定するための情報を記憶していることを特徴とする。
【００２０】
この請求項５の発明によれば、記憶媒体書込読込装置は、保護領域に、記憶媒体にデータの書き込みまたは読み込みを許可するか否かを判定するための情報が記憶される。
【発明の効果】
【００２１】
請求項１の発明によれば、記憶媒体書込読込装置は、データを書き込む書込部とデータを読み込む読込部とを別々に設置したヘッドを利用してデータの書き込みまたは読み込みを行う場合に、読込部のみが到達し書込部が到達しない領域である保護領域が記憶媒体上に存在するようにヘッドの移動範囲を制限するので、該保護領域に記憶されたデータの消去・改竄などに対する安全性を保障することができる。
【００２２】
また、請求項２の発明によれば、記憶媒体書込読込装置は、書込部が読込部に対してディスクの内周側に所定間隔を隔てて設置されたヘッドを利用してデータの書き込みまたは読み込みを行う場合に、読込部のみが到達し書込部が到達しない領域である保護領域がディスク上に存在するようにヘッドの移動範囲を制限するので、ディスクの外周に保護領域が存在することになり、該保護領域に記憶されたデータの消去・改竄などに対する安全性を保障することができる。
【００２３】
また、請求項３の発明によれば、記憶媒体書込読込装置は、書込部が読込部に対してディスクの外周側に所定間隔を隔てて設置されたヘッドを利用してデータの書き込みまたは読み込みを行う場合に、読込部のみが到達し書込部が到達しない領域である保護領域がディスク上に存在するようにヘッドの移動範囲を制限するので、ディスクの内周に保護領域が存在することになり、該保護領域に記憶されたデータの消去・改竄などに対する安全性を保障することができる。
【００２４】
また、請求項４の発明によれば、記憶媒体書込読込装置は、保護領域に、ヘッドの位置決め情報またはサーバ情報の記録をディスクに対して行った装置を識別するための情報が記憶されるので、ＳＴＷを行った装置を正確に特定することができる。
【００２５】
また、請求項５の発明によれば、記憶媒体書込読込装置は、保護領域に、記憶媒体にデータの書き込みまたは読み込みを許可するか否かを判定するための情報が記憶されるので、セキュリティーを向上させることができる。
【発明を実施するための最良の形態】
【００２６】
以下に添付図面を参照して、この発明に係る記憶媒体書込読込装置の好適な実施の形態を詳細に説明する。
【実施例】
【００２７】
まず、本実施例にかかるディスク装置（本実施例では、記憶媒体書込読込装置としてディスク装置を例にあげて説明する）の概念について説明する。本実施例にかかるディスク装置は、リード素子とライト素子とが別々に設置されたヘッドを利用してディスクにデータの書き込みまたは読み込みを行う際に、ヘッドの移動範囲を制限し、リード素子のみ到達しライト素子が到達しない領域（以下、保護領域と表記する）をディスク上に存在させる。
【００２８】
そして、この保護領域に予め、重要なデータ（ＳＴＷ装置を識別するための情報や暗号かぎ情報など）を記憶することによって、この重要なデータに対する消去・改竄などを物理的に防止する。
【００２９】
次に、本実施例にかかるディスク装置の構成について説明する。図１は、本実施例にかかるディスク装置の構成を示す図である。同図に示すように、このディスク装置１００は、ディスク１１０と、スピンドルモータ１２０と、ヘッド１３０と、アーム１４０と、ステップアップモータ１５０と、インナーストッパ１６０と、アウターストッパ１７０とを有する。
【００３０】
ディスク１１０は、磁性体を塗布または蒸着した金属（またはプラスチックなど）のディスクであり、データを記録保持する。スピンドルモータ１２０は、ディスク１１０を回転させるためのモータである。
【００３１】
ヘッド１３０は、ディスク１１０に対してデータの書き込みまたは読み込みを行う装置である。また、ヘッド１３０には、ディスク１１０にデータを書き込むためのライト素子とディスク１１０からデータを読み込むためのリード素子とが別々の位置に設置されている。
【００３２】
図２および図３は、本実施例にかかるヘッド１３０に設置されるライト素子およびリード素子の設置例を示す図である。図２の例では、リード素子１３０ａに対して一定間隔を隔ててディスク１１０の内周方向にライト素子１３０ｂが設置されている。
【００３３】
また、図３の例では、リード素子１３０ａに対して一定間隔を隔ててディスク１１０の外周方向にライト素子１３０ｂが設置されている。
【００３４】
すなわち、図２のようにリード素子１３０ａおよびライト素子１３０ｂがヘッド１３０に設置されている場合には、アウターストッパ１７０を利用して、ヘッド１３０の移動範囲を制限することによって、ディスク１１０に保護領域１１０ａを存在させることができる。
【００３５】
図４は、保護領域１１０ａを詳しく説明するための説明図である。同図に示すように、ヘッド１３０を移動させるアーム１４０が、アウターストッパ１７０によって移動範囲を制限されるので、リード素子１３０ａのみ到達可能な保護領域１１０ａを存在させることができる。なお、アーム１４０は、図１に示すステップアップモータ１５０によって駆動される。
【００３６】
また、図３のようにリード素子１３０ａおよびライト素子１３０ｂがヘッド１３０に配置されている場合には、インナーストッパ１６０を利用して、ヘッド１３０の移動範囲を制限することによって、ディスク１１０に保護領域１１０ｂを存在させることができる。
【００３７】
図５は、保護領域１１０ｂを詳しく説明するための説明図である。同図に示すように、ヘッド１３０を移動させるアーム１４０が、インナーストッパ１６０によって移動範囲を制限されるので、リード素子１３０ａのみ到達可能な保護領域１１０ｂを存在させることができる。
【００３８】
したがって、ディスク装置１００の出荷前に、この保護領域１１０ａまたは１１０ｂに対して、ＳＴＷ装置の識別情報、ＳＴＷの磁気転写の際に利用されたマスター媒体の識別情報、さらには、特定のデータをディスク１１０に書き込むか否か（ソフトウェアをインストールするか否か）を判定するための情報（暗号かぎ等）などを、改竄・消去に対する安全性を保ちながら保存することができる。
【００３９】
上述してきたように、本実施例にかかるディスク装置１００は、リード素子１３０ａとライト素子１３０ｂとが別々に設置されたヘッド１３０、インナーストッパ１６０およびアウターストッパ１７０を利用してディスク１１０にデータの書き込みまたは読み込みを行う際に、ヘッド１３０の移動範囲を制限し、リード素子１３０ａのみ到達しライト素子１３０ｂが到達しない保護領域１３０ａまたは１３０ｂをディスク１１０上に存在させるので、保護領域１３０ａまたは１３０ｂに重要なデータを書き込んでも、消去・改竄に対する危険性を無くすことができると共に、正確にＳＴＷ装置を特定することができる。
【００４０】
また、複雑な機構または特別な記憶媒体を用いることなく、従来から利用されているディスク１１０上に保護領域を存在させることができるので、製造コストおよび時間コストが従来と変わらないという利点がある。
【００４１】
（付記１）記憶媒体に対するデータの書き込みまたは読み込みを行う記憶媒体書込読込装置であって、
データを書き込む書込部とデータを読み込む読込部とを別々に設置したヘッドを利用してデータの書き込みまたは読み込みを行う書込読込手段と、
前記読込部のみが到達し前記書込部が到達しない領域である保護領域が前記記憶媒体上に存在するように前記ヘッドの移動範囲を制限する制限手段と、
を備えたことを特徴とする記憶媒体書込読込装置。
【００４２】
（付記２）前記記憶媒体はディスクであり、前記書込部は前記読込部に対してディスクの内周側に所定間隔を隔てて設置されることを特徴とする付記１に記載の記憶媒体書込読込装置。
【００４３】
（付記３）前記記憶媒体はディスクであり、前記書込部は前記読込部に対してディスクの外周側に所定間隔を隔てて設置されることを特徴とする付記１に記載の記憶媒体書込読込装置。
【００４４】
（付記４）前記保護領域は、ヘッドの位置決め情報またはサーボ情報の記録をディスクに対して行った装置を識別するための情報を記憶していることを特徴とする付記１、２または３に記載の記憶媒体書込読込装置。
【００４５】
（付記５）前記保護領域は、前記記憶媒体にデータの書き込みまたは読み込みを許可するか否かを判定するための情報を記憶していることを特徴とする付記１〜４のいずれか一つに記載の記憶媒体書込読込装置。
【００４６】
（付記６）記憶媒体に対するデータの書き込みまたは読み込みを行うデータ書込読込装置であって、
データを書き込む書込部とデータを読み込む読込部とを別々に設置したヘッドを利用してデータの書き込みまたは読み込みを行う書込読込工程と、
前記読込部のみが到達し前記書込部が到達しない領域である保護領域が前記記憶媒体上に存在するように前記ヘッドの移動範囲を制限する制限工程と、
を含んだことを特徴とするデータ書込読込方法。
【００４７】
（付記７）前記記憶媒体はディスクであり、前記書込部は前記読込部に対してディスクの内周側に所定間隔を隔てて設置されることを特徴とする付記６に記載のデータ書込読込方法。
【００４８】
（付記８）前記記憶媒体はディスクであり、前記書込部は前記読込部に対してディスクの外周側に所定間隔を隔てて設置されることを特徴とする付記６に記載のデータ書込読込方法。
【００４９】
（付記９）前記保護領域は、ヘッドの位置決め情報またはサーボ情報の記録をディスクに対して行った装置を識別するための情報を記憶していることを特徴とする付記６、７または８に記載のデータ書込読込方法。
【００５０】
（付記１０）前記保護領域は、前記記憶媒体にデータの書き込みまたは読み込みを許可するか否かを判定するための情報を記憶していることを特徴とする付記６〜９のいずれか一つに記載のデータ書込読込方法。
【産業上の利用可能性】
【００５１】
以上のように、本発明にかかる記憶媒体書込読込装置は、消去・改竄されることなく重要なデータを保存する必要のある記憶装置などに対して有用である。
【図面の簡単な説明】
【００５２】
【図１】本実施例にかかるディスク装置の構成を示す図である。
【図２】本実施例にかかるヘッド１３０に設置されるライト素子およびリード素子の設置例を示す図（１）である。
【図３】本実施例にかかるヘッド１３０に設置されるライト素子およびリード素子の設置例を示す図（２）である。
【図４】保護領域１１０ａを詳しく説明するための説明図である。
【図５】保護領域１１０ｂを詳しく説明するための説明図である。
【図６】ＳＴＷを説明するための説明図である。
【符号の説明】
【００５３】
１００    ディスク装置
１１０    ディスク
１１０ａ，１１０ｂ    保護領域
１２０    スピンドルモータ
１３０    ヘッド
１４０    アーム
１５０    ステップアップモータ
１６０    インナーストッパ
１７０    アウターストッパ
【図１】
2006221771.tif 000003
【図２】
2006221771.tif 000004
【図３】
2006221771.tif 000005
【図４】
2006221771.tif 000006
【図５】
2006221771.tif 000007
【図６】
2006221771.tif 000008